(57)【要約】【課題】  他の部材に対して、レンズ面を有するプリズムを精度良く、また容易に位置決めすることができる、プリズムおよび撮像装置を提供することを目的とする。【解決手段】  本発明に係るプリズムレンズ２は、レンズ面２ａと嵌合部２ｂとを、備えている。ここで、レンズ面２ａは、所定のパワーを有している。また、嵌合部２ｂは、レンズ面２ａが存在する側において形成されている。また、嵌合部２ｂは、他の部材との嵌合可能である。【選択図】  図５
2006276168.tif 000002
【特許請求の範囲】
【請求項１】
受光面に結像した光学像を電気信号に変換する撮像素子と、
被写体の像を前記受光面に結像させる、少なくとも１以上のレンズと、
透過面および反射面の少なくとも一つに形成されたレンズ面と、前記レンズ面が存在する側において形成され、前記レンズ面の光軸方向に対して略平行な面よりなる嵌合面を有し、他の部材との嵌合可能な第一の嵌合部と、前記レンズ面が存在する側において形成され、前記レンズ面の光軸方向に対して略垂直な面よりなる光軸方向位置決め面とを、有するプリズムとを、備えており、
前記プリズムの前記レンズ面に対面する前記レンズが、前記他の部材であり、当該レンズには、前記第一の嵌合部と嵌合可能な第二の嵌合部が形成されている、
ことを特徴とする撮像装置。
【請求項２】
受光面に結像した光学像を電気信号に変換する撮像素子と、
被写体の像を前記受光面に結像させる、少なくとも１以上のレンズと、
透過面および反射面の少なくも一つに形成されたレンズ面と、前記レンズ面が存在する側において形成され、前記レンズ面の光軸方向に対して略平行な面よりなる嵌合面を有し、他の部材との嵌合可能な第一の嵌合部と、前記レンズ面が存在する側において形成され、前記レンズ面の光軸方向に対して略垂直な面よりなる光軸方向位置決め面とを、有するプリズムと、
前記レンズを固定する筐体とを、備えており、
前記筐体には、
前記第一の嵌合部と嵌合可能な第二の嵌合部を有する、前記他の部材が形成されている、
ことを特徴とする撮像装置。
【請求項３】
前記プリズムは、
前記第一の嵌合部の形成側と反対側において形成されている、前記レンズ面の光軸方向に対して略垂直な面よりなる押さえ面を、さらに備えており、
前記押さえ面を、前記レンズ面の前記光軸方向から押圧する押さえ部材を、さらに備えている、
ことを特徴とする請求項１または請求項２に記載の撮像装置。
【請求項４】
透過面および反射面の少なくも一つに形成された、レンズ面と、
前記レンズ面が存在する側において形成され、前記レンズ面の光軸方向に対して略平行な面よりなる嵌合面を有し、他の部材との嵌合可能な嵌合部と、
前記レンズ面が存在する側において形成され、前記レンズ面の光軸方向に対して略垂直な面よりなる光軸方向位置決め面とを、備えている、
ことを特徴とするプリズム。
【請求項５】
前記嵌合部の輪郭の少なくも一部は、前記レンズ面のレンズの輪郭に沿った円弧状である、
ことを特徴とする請求項４に記載のプリズム。
【請求項６】
前記嵌合部の形成側と反対側において形成されている、前記レンズ面の光軸方向に対して略垂直な面よりなる押さえ面を、さらに備えている、
ことを特徴とする請求項４に記載のプリズム。
【請求項７】
前記嵌合部の前記嵌合面は、当該嵌合方向に沿って傾斜するテーパ形状を有している、
ことを特徴とする請求項４に記載のプリズム。
【発明の詳細な説明】
【技術分野】
【０００１】
この発明は、撮像装置およびプリズムに係る発明であり、例えば、光軸を略直角に折り曲げることができるプリズム、および当該プリズムを有する撮像装置に適用することができる。
【背景技術】
【０００２】
撮像装置が、携帯電話などのモバイル機器に実装されるようになってきている。また、当該撮像装置には、光軸を折り曲げることができるプリズムが備えられている。当該プリズムの存在により、被写体側から見た、当該撮像装置が実装されたモバイル機器の薄型化が可能となる。
【０００３】
また近年では、プラスチック成形品のプリズムが用いられている。さらに、プリズムの反射面もしくは透過面をレンズ面とすることで、レンズ枚数の削減、製造コストの低減および、光路長を短くすることによる小型化等が図られている。
【０００４】
レンズ面を有しない直角プリズムでは、当該プリズムの位置決め固定において、主に反射面の位置と傾きのみを考慮すれば良かった。しかし、上記レンズ面を有するプリズムを位置決め固定する際には、直角プリズムの場合とは異なり、他のレンズの光軸との光軸ズレ等を考慮した位置決め固定が必要とされる。
【０００５】
例えば、特許文献１では、その図面から分かるように、レンズ等を固定する筐体に複数の突起が形成されている。特許文献１に係る技術では、レンズ面を有するプリズムを当該突起に密接させることで、当該プリズムの位置決め固定が行われている。
【０００６】
また、特許文献２は、ファインダー装置に係る発明であり、プリズムのレンズ面に筐体の面を押し付けることで、プリズムの位置決め固定が行われている。
【０００７】
【特許文献１】特開２００４−１３３０５３号公報
【特許文献２】特開平１１−４４９０５号公報
【発明の開示】
【発明が解決しようとする課題】
【０００８】
レンズ面を有するプリズムを筐体に位置決め固定する場合には、上記の通り、反射面の位置と傾きの他に、他のレンズの光軸との光軸ズレ等を考慮した位置決め固定が必要となる。つまり、プリズムを固定する固定部材等の寸法の高精度化が要求される。
【０００９】
しかし、特許文献１のように、筐体に複数の突起を精度良く形成することは、非常に困難であった。これは、当該複数の突起を有する筐体を形成するための金型が、非常に複雑になるからである。また、当該金型を作成した場合には、製造コストが膨大となるという問題もあった。
【００１０】
また、特許文献２の場合には、プリズムのレンズ面に筐体の面を押し付けることで、プリズムの位置決め固定が行われている。したがって、当該筐体の面の寸法精度および水平度等が非常に重要となる。
【００１１】
しかし、高精度の寸法で、かつ水平度の高い面（つまり、面が波打つことが無い）を、レンズ面と同等の面積範囲に亘って筐体に形成することは、非常に困難であった。
【００１２】
以上のように、特許文献１，２に係る発明では、レンズ面を有するプリズムを精度良く位置決め固定することは、非常に困難であった。
【００１３】
そこで、この発明は、他の部材に対して、レンズ面を有するプリズムを精度良くまた容易に位置決めすることができる、撮像装置およびプリズムを提供することを目的とする。
【課題を解決するための手段】
【００１４】
上記の目的を達成するために、本発明に係る請求項１に記載の撮像装置は、受光面に結像した光学像を電気信号に変換する撮像素子と、被写体の像を前記受光面に結像させる、少なくとも１以上のレンズと、透過面および反射面の少なくとも一つに形成されたレンズ面と、前記レンズ面が存在する側において形成され、前記レンズ面の光軸方向に対して略平行な面よりなる嵌合面を有し、他の部材との嵌合可能な第一の嵌合部と、前記レンズ面が存在する側において形成され、前記レンズ面の光軸方向に対して略垂直な面よりなる光軸方向位置決め面とを、有するプリズムとを、備えており、前記プリズムの前記レンズ面に対面する前記レンズが、前記他の部材であり、当該レンズには、前記第一の嵌合部と嵌合可能な第二の嵌合部が形成されている。
【００１５】
また、本発明に係る請求項２に記載の撮像装置は、受光面に結像した光学像を電気信号に変換する撮像素子と、被写体の像を前記受光面に結像させる、少なくとも１以上のレンズと、透過面および反射面の少なくも一つに形成されたレンズ面と、前記レンズ面が存在する側において形成され、前記レンズ面の光軸方向に対して略平行な面よりなる嵌合面を有し、他の部材との嵌合可能な第一の嵌合部と、前記レンズ面が存在する側において形成され、前記レンズ面の光軸方向に対して略垂直な面よりなる光軸方向位置決め面とを、有するプリズムと、前記レンズを固定する筐体とを、備えており、前記筐体には、前記第一の嵌合部と嵌合可能な第二の嵌合部を有する、前記他の部材が形成されている。
【００１６】
また、本発明に係る請求項４に記載のプリズムは、透過面および反射面の少なくも一つに形成された、レンズ面と、前記レンズ面が存在する側において形成され、前記レンズ面の光軸方向に対して略平行な面よりなる嵌合面を有し、他の部材との嵌合可能な嵌合部と、前記レンズ面が存在する側において形成され、前記レンズ面の光軸方向に対して略垂直な面よりなる光軸方向位置決め面とを、備えている。
【発明の効果】
【００１７】
本発明の請求項１に記載の撮像装置は、受光面に結像した光学像を電気信号に変換する撮像素子と、被写体の像を前記受光面に結像させる、少なくとも１以上のレンズと、透過面および反射面の少なくとも一つに形成されたレンズ面と、前記レンズ面が存在する側において形成され、前記レンズ面の光軸方向に対して略平行な面よりなる嵌合面を有し、他の部材との嵌合可能な第一の嵌合部と、前記レンズ面が存在する側において形成され、前記レンズ面の光軸方向に対して略垂直な面よりなる光軸方向位置決め面とを、有するプリズムとを、備えており、前記プリズムの前記レンズ面に対面する前記レンズが、前記他の部材であり、当該レンズには、前記第一の嵌合部と嵌合可能な第二の嵌合部が形成されているので、他の部材（つまりプリズムのレンズ面に対面するレンズ）に対するプリズムの位置決め固定を精度良く（つまり、偏芯ズレ等を抑制した位置決め固定が可能となり）、また容易に行うことができる。
【００１８】
また、請求項２に係る撮像装置は、受光面に結像した光学像を電気信号に変換する撮像素子と、被写体の像を前記受光面に結像させる、少なくとも１以上のレンズと、透過面および反射面の少なくも一つに形成されたレンズ面と、前記レンズ面が存在する側において形成され、前記レンズ面の光軸方向に対して略平行な面よりなる嵌合面を有し、他の部材との嵌合可能な第一の嵌合部と、前記レンズ面が存在する側において形成され、前記レンズ面の光軸方向に対して略垂直な面よりなる光軸方向位置決め面とを、有するプリズムと、前記レンズを固定する筐体とを、備えており、前記筐体には、前記第一の嵌合部と嵌合可能な第二の嵌合部を有する、前記他の部材が形成されているので、筐体に対するプリズムの位置決め固定を精度良く（つまり、偏芯ズレ等を抑制した位置決め固定が可能となり）、また容易に行うことができる。
【００１９】
また、請求項４に記載のプリズムは、透過面および反射面の少なくも一つに形成された、レンズ面と、前記レンズ面が存在する側において形成され、前記レンズ面の光軸方向に対して略平行な面よりなる嵌合面を有し、他の部材との嵌合可能な嵌合部と、前記レンズ面が存在する側において形成され、前記レンズ面の光軸方向に対して略垂直な面よりなる光軸方向位置決め面とを、備えているので、当該レンズ面の光軸の位置ズレや偏芯ズレ等を抑制した、当該プリズムの位置固定を容易に行うことができる。
【発明を実施するための最良の形態】
【００２０】
以下、この発明をその実施の形態を示す図面に基づいて具体的に説明する。
【００２１】
＜実施の形態１＞
図１は、本実施の形態に係る撮像装置１００を、上方向から見た断面図である。また、図２は、本実施の形態に係る撮像装置１００を、正面方向（被写体方向）から見た断面図である。
【００２２】
図１，２に示すように、撮像装置１００は、第一のレンズ群１０、第二のレンズ群２０、第三のレンズ群３０、赤外光カットフィルタ４０、および撮像素子５０から構成されている。
【００２３】
ここで、撮像素子５０は、受光面に結像した光学像を電気信号に変換することができる素子である。
【００２４】
複数のレンズ（第一のレンズ群１０、第二のレンズ群２０、第三のレンズ群３０）は、被写体の像を撮像素子５０の受光面に結像させる部材である。
【００２５】
第一のレンズ群１０は、光軸を垂直方向（図１では、光軸６０から光軸７０）に折り返す機能を有している。また、第一のレンズ群１０は、第一のレンズ１、プリズムレンズ２および第二のレンズ３により構成されている。なお、被写体側には、第一のレンズ１が配設されており、撮像素子５０側には、第二のレンズ３が配設されている。また、プリズムレンズ２は、第一のレンズ１と第二のレンズ３との間に配設されている。
【００２６】
ここで、プリズムレンズ２は、反射面を有すると伴に、折り曲げ機能を有している。また、プリズムレンズ２の透過面および反射面のいずれかの面は、所定のパワーを有するレンズ面である。本実施の形態では、プリズムレンズ２の第二のレンズ３と対面する透過面がレンズ面であり、正のパワーを有している。
【００２７】
なお、第一のレンズ１は、第一のレンズ保持枠１５により、保持・固定されている。また、当該第一のレンズ保持枠１５は、撮像装置１００への入射光を制限する機能も有している。
【００２８】
また、第二のレンズ群２０は、第三のレンズ４、第四のレンズ５および開口絞り６により構成されている。ここで、開口絞り６は、入射光の幅を制限する部材である。
【００２９】
なお、被写体側から撮像素子５０側に向けて、開口絞り６、第三のレンズ４および第四のレンズ５は、当該順に配設されている。また、第二のレンズ群２０は、第二のレンズ群保持枠１７により、位置決め固定されている。
【００３０】
また、第三のレンズ群３０は、第五のレンズ７により構成されている。ここで、第三のレンズ群３０は、第三のレンズ群保持枠１８により、位置決め固定されている。
【００３１】
また、第三のレンズ群３０と撮像素子５０との間には、赤外光カットフィルタ４０が配設されている。ここで、赤外光カットフィルタ４０は、入射光に含まれる赤外光を遮断する機能を有している。なお、赤外光カットフィルタ４０および撮像素子５０は、撮像素子パッケージ１９において実装・固定されている。
【００３２】
なお、上記各レンズ１〜５，７の中心ならびに撮像素子５０の中心は、撮像装置１００の光学的中心軸である光軸６０、光軸７０一致している。また、第一のレンズ保持枠１５、後述するプリズム押さえ部材１６および撮像素子パッケージ１９は各々、外郭筐体２５により固定されている。
【００３３】
したがって、第一のレンズ群１０は、第一のレンズ保持枠１５およびプリズム押さえ部材１６を介して、外郭筐体２５により位置決め固定されている。
【００３４】
また、図２に示すように、撮像装置１００内には、二本のガイドシャフト３５が配設されている。ここで、当該ガイドシャフト３５は、お互いに所定の距離だけ隔てて配設されており、また相互に平行となっている。また、当該ガイドシャフト３５は、光軸７０の方向と略平行となるように配設されている。
【００３５】
第二のレンズ群保持枠１７および第三のレンズ群保持枠１８は、上記ガイドシャフト３５上を移動することができる構成となっている。
【００３６】
当該構成により、第二のレンズ群２０および第三のレンズ群３０は、光軸７０方向に移動可能となり、それ以外の方向の可動は規制される。なお、外郭筐体２５には、一軸駆動装置３６が固定されており、当該一軸駆動装置３６の駆動力により、第二のレンズ群２０および第三のレンズ群３０は、光軸７０方向に可動する。
【００３７】
したがって、第二のレンズ群２０および第三のレンズ群３０は、第二のレンズ保持枠１７、第三のレンズ保持枠１８およびガイドシャフト３５を介して、光軸偏芯方向に位置決めされている。
【００３８】
以上のように構成されている撮像装置１００において、次に、レンズ面を有するプリズムレンズ２の位置決め固定方法について説明する。以下の説明では、第二のレンズ３が、外郭筐体２５により位置決め固定され、プリズムレンズ２が、第二のレンズ３を介して、外郭筐体２５により位置決め固定される場合について言及する。
【００３９】
まず、第二のレンズ３の構成について、図３を用いて説明する。
【００４０】
第二のレンズ３はプラスチック成形品であり、図３に示すように、レンズ面３ａ、偏芯方向位置決め面３ｂ、偏芯方向補助位置決め部３ｃ、光軸方向位置決め面３ｄ、嵌合部３ｅ、およびプリズム側光軸方向位置決め面３ｆ等を有している。
【００４１】
ここで、レンズ面３ａは、所定のパワーを有している。また、偏芯方向位置決め面３ｂは、レンズ面３ａの弧に沿って丸みを帯びた平面形状を有している。また、光軸方向位置決め面３ｄは、レンズ面３ａの光軸に対して略垂直な平面である。
【００４２】
また、嵌合部３ｅは凸形状であり、プリズムレンズ２に形成されている嵌合部と嵌合可能な部分である。また、嵌合部３ｅの形成方向は、レンズ面３ａの光軸方向と略平行である。また、プリズム側光軸方向位置決め面３ｆは、光軸方向位置決め面３ｄ形成側と反対側（つまり、プリズム側）において形成されており、レンズ面３ａの光軸に対して略垂直な平面である。
【００４３】
次に、外郭筐体２５に対する第二のレンズ３の位置決め固定について、図４を用いて説明する。図４は、第二のレンズ３が、外郭筐体２５により位置決め固定される様子を示す図である。
【００４４】
図４に示すように、外郭筐体２５には、レンズ面３ａに対向する部分において、開口部２５ａが形成されている。また、外郭筐体２５には、第二のレンズ３が嵌め込まれるように、凹んだ領域が形成されている。当該凹んだ領域は、偏芯方向位置決め面２５ｂ、光軸方向位置決め面２５ｃとが形成されている。
【００４５】
ここで、偏芯方向位置決め面２５ｂは、第二のレンズ３の偏芯方向位置決め面３ｂと同様、丸みを帯びた平面形状を有している。また、光軸方向位置決め面２５ｃは、第二のレンズ３の光軸に対して略垂直な平面である。
【００４６】
図４に示すように、外郭筐体２５に第二のレンズ３を固定する際には、上記凹んだ領域に、第二のレンズ３を嵌め込む（挿入する）。
【００４７】
つまり、外郭筐体２５の偏芯方向位置決め面２５ｂを、第二のレンズ３の偏芯方向位置決め面３ｂと当接させ、また、外郭筐体２５の光軸方向位置決め面２５ｃを、第二のレンズ３の光軸方向位置決め面３ｄと当接させる。なお、第二のレンズ３の上記嵌め込み状態において、第二のレンズ３の偏芯方向補助位置決め部３ｃは、位置決め固定の補助のために、外郭筐体２５の上部内壁と当接する。
【００４８】
以上の外郭筐体２５に対する第二のレンズ３の嵌め込みにより、第二のレンズ３は、外郭筐体２５に対して位置決め固定される。つまり、光軸に対する偏芯方向および光軸方向の位置が適正な位置となるように、第二のレンズ３は、外郭筐体２５に対して位置決め固定される。
【００４９】
ここで、光軸に対する偏芯方向の位置決めは、第二のレンズ３の偏芯方向位置決め面３ｂと外郭筐体２５の偏芯方向位置決め面２５ｂとの当接、および第二のレンズ３の偏芯方向補助位置決め部３ｃの外郭筐体２５の上部内壁との当接により、行われている。
【００５０】
また、光軸方向の位置決めは、第二のレンズ３の光軸方向位置決め面３ｄと、光軸方向位置決め面２５ｃとの当接により、行われている。
【００５１】
なお、外郭筐体２５の上記凹んだ領域に第二のレンズ３を嵌め込む際に生じる、レンズ部材の削れまたはバリの噛み込み等を防止するために、第二のレンズ３の嵌め込みは、軽圧力で行うことが望ましい。
【００５２】
次に、第二のレンズ３に対するプリズムレンズ２の位置決め固定について説明する。
【００５３】
まず、レンズ面を有するプリズムレンズ２の詳細な構造について、図５を用いて説明する。
【００５４】
プリズムレンズ２はプラスチック成形品であり、図５に示すように、レンズ面２ａ、嵌合部２ｂ、押さえ面２ｃ、および光軸方向位置決め面２ｄ等を有している。
【００５５】
ここで、レンズ面２ａは、所定のパワーを有している。
【００５６】
また、嵌合部２ｂは、レンズ面２ａが形成されている側において形成されている。また、嵌合部２ｂは、凹形状であり、第二のレンズ３の嵌合部３ｅと嵌合可能な部分である。また、嵌合部２ｂの形成方向は、レンズ面２ａの光軸方向と略平行である（つまり、レンズ面２ａの光軸方向に対して略平行な面（嵌合部２ｂの側面）よりなる嵌合面を有している）。また、平面視において、嵌合部２ｂの輪郭の一部は、図５に示すように、レンズ面２ａのレンズの輪郭に沿った円弧状である。また、嵌合部２ｂの側面は、嵌合方向に沿って傾斜するテーパ形状を有している。
【００５７】
したがって、当該嵌合部２ｂと嵌合する第二のレンズ３の嵌合部３ｅも同様、平面視において、その輪郭の一部は弧状である。また、第二のレンズ３の嵌合部３ｅの側面は、当該嵌合方向に沿って傾斜するテーパ形状を有している。
【００５８】
また、光軸方向位置決め面２ｄは、レンズ面２ａが形成されている側において形成されており、上記嵌合部２ｂと連接されている。また、光軸方向位置決め面２ｄは、レンズ面２ａの光軸方向に対して略垂直な平面である。
【００５９】
また、押さえ面２ｃは、上記嵌合部２ｂの形成側の反対側において形成されている。また、押さえ面２ｃは、レンズ面２ａの光軸方向に対して略垂直な面である。なお、押さえ面２ｃは、光軸方向位置決め面２ｄの反対面において、２箇所に形成されている。
【００６０】
次に、第二のレンズ３に対するプリズムレンズ２の位置決め固定について、図６を用いて説明する。図６は、プリズムレンズ２が、第二のレンズ３により位置決め固定される様子を示す図である。
【００６１】
図６に示すように、第二のレンズ３の嵌合部３ｅとプリズムレンズ２の嵌合部２ｂとを嵌合させる。このとき、第二のレンズ３のプリズム側光軸方向位置決め面３ｆは、プリズムレンズ２の光軸方向位置決め面２ｄと当接する。ここで、当該嵌合は、なるべく隙間無く行われる。
【００６２】
プリズムレンズ２と第二のレンズ３との上記嵌合により、光軸のズレをも考慮した、両レンズ２，３間の位置決め固定が行われる。つまり、光軸に対する偏芯方向および光軸方向の位置が適正な位置となるように、プリズムレンズ２は、第二のレンズ３に対して位置決め固定される。
【００６３】
ここで、光軸に対する偏芯方向の位置決めは、第二のレンズ３の嵌合部３ｅとプリズムレンズ２の嵌合部２ｂとの嵌合により、行われている。また、光軸方向の位置決めは、第二のレンズ３のプリズム側光軸方向位置決め面３ｆと、プリズムレンズ２の光軸方向位置決め面２ｄとの当接により、行われている。
【００６４】
なお、図６では図示されていないが、第二のレンズ３は外郭筐体２５により位置決め固定されている。したがって、プリズムレンズ２は、第二のレンズ３との上記嵌合により、当該第二のレンズ３を介して外郭筐体２５により固定されている。
【００６５】
また、プリズムレンズ２と第二のレンズ３との嵌合を完全なものとするために、本実施の形態に係る撮像装置１００では、図６に示すように、プリズム押さえ部材１６が配設されている。
【００６６】
当該プリズム押さえ部材１６は、プリズムレンズ２の押さえ面２ｃを、レンズ面２ａの光軸方向から押圧することができる部材である。
【００６７】
外郭筐体２５に固定されている第二のレンズ３の嵌合部３ｅに対して、プリズムレンズ２の嵌合部２ｂを嵌合させた後、当該プリズム押さえ部材１６に形成されている二つの矩形状の凸部１６ａを、プリズムレンズ２の押さえ面２ｃに対して垂直に突き当てる。
【００６８】
当該押さえプリズム部材１６を用いた押さえ処理により、プリズムレンズ２を完全に（奥まで）第二のレンズ３に嵌合（位置決め固定）させることができる。
【００６９】
なお、プリズム押さえ部材１６は、図２に示すように、プリズムレンズ２を突き当てている（押えている）状態で、外郭筐体２５に接着固定される。
【００７０】
以上のように、本実施の形態に係る撮像装置１００では、プリズムレンズ２は、第二のレンズ３との嵌合により、位置決め固定されている。
【００７１】
したがって、レンズ面を有するプリズムレンズ２を第二のレンズ３に対して、精度良くまた容易に位置決めすることができる。特に、上記光軸方向での嵌合により、プリズムレンズ２のレンズ面２ａの光軸が、第二のレンズ３の光軸に対して偏芯ズレを起こすことを抑制できる。
【００７２】
また、プリズムレンズ２のレンズ面２ａの形成側に、嵌合部２ｂが形成されている。したがって、当該構成のプリズムレンズ２を形成する際に用いる金型の加工精度を向上させることができる。これは、以下の理由による。
【００７３】
プリズムレンズ２を金型を用いて加工する際には、複数の金型部品を組合わせて、当該組合わせ状態において、プリズムレンズ２の原料となる液体を流し込む。この場合、レンズ面２ａと嵌合部２ｂとが異なる金型部品に属することになると、金型組合わせによる、位置ズレ生じる。
【００７４】
しかし、本実施の形態のように、レンズ面２ａと嵌合部２ｂとは同一面側に存するので、当該レンズ面２ａと嵌合部２ｂとを同じ金型部品に属させることができる。よって、金型部品の組合わせに起因した位置ズレを防止することができる。したがって、プリズムレンズ２は、より高精度に、第二のレンズ３に対して位置決め固定され得る。
【００７５】
また、第二のレンズ３は、外郭筐体２５に対してその位置が固定されている。したがって、プリズムレンズ２も第二のレンズ３を介して、外郭筐体２５に対してその位置が固定される。
【００７６】
また、プリズムレンズ２と第二のレンズ３との嵌合の際に、接着剤を用いる必要は無い。したがって、当該接着剤に起因した位置決め精度の劣化を防止することができる。
【００７７】
また、本実施の形態に係る撮像装置１００では、嵌合部２ｂ，３ｅの平面視における輪郭の一部には、曲線部が形成されている。
【００７８】
嵌合部２ｂ，３ｅの形状を上記の様にすることにより、嵌合を滑らかに行える。また、旋盤等による金型作成のため、矩形状の嵌合部２ｂ，３ｅより、一部に曲線を有する形状の嵌合部２ｂ，３ｅの方が、金型の加工精度が向上する。したがって、結果として、プリズムレンズ２と第二のレンズ３との位置決めの精度を向上させることができる。
【００７９】
また、本実施の形態に係る撮像装置１００では、プリズムレンズ２には、光軸に対して略垂直な平面である押さえ面２ｃが形成されており、また、当該押さえ面２ｃに対して光軸方向から力を加えることができるプリズム押さえ部材１６が設けられている。
【００８０】
したがって、プリズムレンズ２と第二のレンズ３との、より確実な嵌合が可能となる。したがって、プリズムレンズ２の光軸方向の位置決めを、より精度良く行うことができる。
【００８１】
また、プリズムレンズ２の嵌合部２ｂ等は、当該嵌合方向に沿って傾斜するテーパ形状を有している。したがって、プリズムレンズ２と第二のレンズ３との嵌合を、より滑らかに行うことができる。
【００８２】
なお、上記では、プリズムレンズ２を第二のレンズ３自身に対して、固定する場合について言及した。しかし、直接プリズムレンズ２を第二のレンズ３自身に固定する必要は無い。
【００８３】
つまり、プリズムレンズ２のレンズ面２ａと、第二のレンズ３との間に、当該プリズムレンズ２と嵌合可能な他の部材（当該他の部材は、外郭筐体２５と一体である）を形成し、当該他の部材の嵌合部とプリズムレンズ２の嵌合部２ｂとを嵌合させ、また、外郭筐体２５に対して第二のレンズ３を位置決め固定することにより、間接的に、プリズムレンズ２を第二のレンズ３に対して位置決め固定しても良い。
【００８４】
例えば、外郭筐体２５の一部として、プリズムレンズ２と第二のレンズ３との間に存し、プリズムレンズ２と嵌合可能な他の部材を設ける。他の部材は外郭筐体２５の一部であることから、他の部材と外郭筐体２５とは一体である。
【００８５】
当該構成の外郭筐体２５に対して、例えば図４に示すように、第二のレンズ３を位置決め固定する。さらに、外郭筐体２５の一部である他の部材とプリズムレンズ２の嵌合部２ｂとを嵌合させる。
【００８６】
以上により、プリズムレンズ２および第二のレンズ３を直接、外郭筐体２５に対して固定することができるとともに、プリズムレンズ２の第二のレンズ３に対する位置決め固定を、間接的に、行うことができる。
【００８７】
また、本実施の形態では、プリズムレンズ２の透過面がレンズ面である場合について説明した。しかし、プリズムレンズ２の反射面をレンズ面とし、他の部材（例えば、外郭筐体２５等）との嵌合可能な嵌合部を、当該反射面形成側に形成しても良い。
【図面の簡単な説明】
【００８８】
【図１】本発明に係る撮像装置の全体構成を示す断面図である。
【図２】本発明に係る撮像装置の全体構成を示す正面断面図である。
【図３】第二のレンズの構造を示す図斜視図である。
【図４】外郭筐体と第二のレンズとの位置決め固定の様子を、説明するための斜視図である。
【図５】プリズムレンズの構造を示す斜視図である。
【図６】第二のレンズとプリズムレンズとの位置決め嵌合の様子を、説明するための斜視図である。
【符号の説明】
【００８９】
１  第一のレンズ、２プリズムレンズ、２ａ  レンズ面、２ｂ  嵌合部、２ｃ  押さえ面、２ｄ  光軸方向位置決め面、３  第二のレンズ、３ａ  レンズ面、３ｂ  偏芯方向位置決め面、３ｃ  偏芯方向補助位置決め部、３ｄ  光軸方向位置決め面、３ｅ  嵌合部、３ｆ  プリズム側光軸方向位置決め面、４  第三のレンズ、５  第四のレンズ、６  開口絞り、７  第五のレンズ、１０  第一のレンズ群、１５  第一のレンズ保持枠、１６  プリズム押さえ部材、１６ａ  凸部、１７  第二のレンズ群保持枠、１８  第三のレンズ群保持枠、１９  撮像素子パッケージ、２０  第二のレンズ群、２５  外郭筐体、２５ａ  開口部、２５ｂ  偏芯方向位置決め面、２５ｃ  光軸方向位置決め面、３０  第三のレンズ群、３５  ガイドシャフト、３６  一軸駆動装置、４０  赤外カットフィルタ、５０  撮像素子、６０，７０  光軸。
【図１】
2006276168.tif 000003
【図２】
2006276168.tif 000004
【図３】
2006276168.tif 000005
【図４】
2006276168.tif 000006
【図５】
2006276168.tif 000007
【図６】
2006276168.tif 000008